(57)【要約】【課題】外部回路を設けることなく、検査工程の簡単な誘電体フィルタを提供するものである。【解決手段】導電性カバーを有する誘電体フィルタにおいて、前記導電性カバーは、導電板の四辺を折り曲げて、導電板の長辺方向の一方の折り曲げ部を櫛歯形状としさらに櫛歯の一部を互いに櫛歯がなす角が鋭角となるように導電性カバーの内面側に折り曲げ、かつ、導電板の長辺方向の一方の折り曲げ部の櫛歯が誘電体ブロックの段部に嵌合し、かつ、他方の折り曲げ部は誘電体ブロックの側面に当接し、さらに、導電板の短辺方向の折り曲げ部の突起が誘電体ブロック上面の外周短辺の導体層のない部分と当接し、導電性カバーが誘電体ブロックの側面同士のグランドラインであり、かつ誘電体ブロックを挟持することを特徴とした誘電体フィルタ。【選択図】    図１
2004312490.tif 000002
【特許請求の範囲】
【請求項１】
上面、下面、及び側面、並びに上面から下面に貫通する復数の中空孔を備えた略直方体状の誘電体ブロックを基体とし、該基体の上面における中空孔開口部近傍と、上面に対向する下面と、中空孔の軸に平行な側面と、中空孔の内周面とがそれぞれ導体層で覆われ、上面を導電性カバーが覆う誘電体フィルタにおいて、
前記誘電体ブロックは、側面に導体層と分離して上面まで連なる第１電極端子、第２電極端子、及び第３電極端子を備え、第１電極端子と第２電極端子との間、及び第１電極端子と第３電極端子との間の側面に段部を設け、
前記導電性カバーは、貫通窓を有する導電板の四辺を折り曲げて前記誘電体フィルタの上面の導体層と接触することなく上面を覆い、導電板の長辺方向の一方の折曲部に切起部を設け導電性カバーの内面側に折り曲げ、かつ、導電板の短辺方向の折曲部に突起を設け、
導電板の切起部を有する折曲部が誘電体ブロックの段部に嵌合し、かつ、他方の折曲部は誘電体ブロックの側面に当接することで誘電体ブロックを挟持し、さらに、導電板の短辺方向の折曲部の突起が誘電体ブロック上面の外周短辺の導体層のない部分と当接することで誘電体ブロックと一定の高さで導電性カバーを支持することを特徴とした誘電体フィルタ。
【請求項２】
前記導電性カバーの導電板の長辺方向の折曲部を櫛歯形状とし、櫛歯の一部を切起部としたことを特徴とする請求項１に記載の誘電体フィルタ。
【請求項３】
前記導電性カバーの導電板の長辺方向の折曲部にコ字状の打抜きを施し、切起部が誘電体ブロックの下面から上面に向かって切り起こされたことを特徴とする請求項１に記載の誘電体フィルタ。
【発明の詳細な説明】
【０００１】
【発明の属する技術分野】
本発明は、移動体通信装置などで使用する周波数帯域の通過特性を決定する誘電体フィルタに関するものである。
【０００２】
【従来の技術】
例えば、数百ＭＨｚ〜数ＧＨｚの周波数帯域を送受信する移動体通信機にモノブロックタイプの誘電体フィルタが使用されていることが一般的に知られている。（例えば、昭６３−３０６７０１号公報、特許第３２０５３３７号公報）
さらに、近年携帯電話などの移動体通信装置は、多機能化が進むと共に小型軽量化がますます進み、異なる送受信周波数を同一部品で処理するデュプレクサなども数多く使用されている。この従来のモノブロックタイプの誘電体フィルタであるデユプレクサの一般的な例を図４に添って説明する。
【０００３】
セラミック材料等の誘電体ブロック（１０）に中空孔（４０〜４４、４９、５０）が形成される。誘電体ブロックの外周側面（２０）、上面の中空孔の開口部近傍（３３〜３９）に導体層を形成する。さらに、この外周側面の導体層（２０）より分離した第１電極（３０）、第２電極（３１）、第３電極（３２）を側面より上面に連ねて設置する。
【０００４】
図４で示しているとおり、第１電極（３０）と第２電極（３１）の間に複数の中空孔（４０、４１）を配置する。第２電極（３１）と外周側面との間に、中空孔（４９）が配置されている。また、第１電極（３０）と第３電極（３１）との間に複数の中空孔（４２〜４４）が配置され、第３電極（３２）と外周側面（２０）との間に中空孔（５０）が配置される。
【０００５】
誘電体ブロック（１０）は、基板上（１５）に設置され、第１電極（３０）はアンテナ（図示せず）に、第２電極（３１）は送信用装置に、第３電極（３２）は受信用装置に接続される。
【０００６】
第１電極（３０）と第２電極（３１）との間において、複数の中空孔（４０、４１）及び中空孔の開口部近傍（３３、３４）の導体層の寸法形状（穴径、深さ、導体層間の距離など）を適宜調整することで、共振器の容量結合を可変することができ、所望の送信周波数帯域のバンドパスフィルタを構成することができる。第２電極（３１）と外周側面（２０）の導体層との間の中空孔（４９）及び中空孔の開口部近傍の道体層（３８）の形状を適宜調整することにより、上述した送信周波数帯域の近傍において所望の周波数に減衰極をもつトラップを形成することができる。
【０００７】
また同様に、第１電極と第３電極間においては、複数の中空孔（４２〜４４）及び中空孔の開口部近傍の導体層（３５〜３７）の寸法形状を適宜調整することで、受信周波数帯域に関して所定のバンドパスフィルタが構成される。第３電極と外周側面の導体層との間の中空孔（５０）及び中空孔の開口部近傍の道体層（３９）の形状を適宜調整することにより、受信周波数近傍において減衰極をもつトラップを形成することができ、急峻な通過帯域特性を有するものである。
【０００８】
また上述したような誘電体フィルタにおいては、中空孔のある上面にては強い電解放射がおこるため、他の回路部品へ影響を及ぼさないように、あるいは逆に、他の回路部品からの高周波無線がフィルタへ影響を及ぼさないようとの理由で導電板で上面を覆いシールドがすることが一般的に知られている。（特開昭６２−７３８０１号、ＵＳＰ５，２１８，３２９の図１〜２、特表２０００−５１３５３８号）
しかし、携帯電話などの数ＧＨｚ帯の高周波帯域を利用する誘電体フィルタにおいては、その電気特性において、通過帯域特性、挿入損失などに厳格な仕様が要求されているため、フィルタ製造後の検査工程で仕様を満足させるように一個毎に後工程を行っているのが実情である。この後工程は、誘電体フィルタの第１〜３電極につながる基板に新たにインダクタンス、コンデンサなどを設けたり、あるいは、誘電体フィルタの上面の電極パターンを直接修正加工することにより微調整を行い、実質的に仕様に合致するようにしているものである。ところで、特開昭６２−７３８０１号、及び図５に示すＵＳＰ５，２１８，３２９号の従来例に於いてはいずれも、シールドケースを完全に誘電体フィルタ本体にかぶせてしまうタイプであり、シールド効果はあるものの、微調整を行うには基板上で別部品を載せて行うか、調整するたびごとにシールドケースを外して行う必要があり、検査工程に著しく時間がかかっていた。また、シールドケースと誘電体ブロックが面どおしでハンダ接着するため、その取り付け構造上、浮き上がりが生じたり、ハンダが側面まではみ出すことがあった。
【０００９】
また、図５（５Ａ従来フィルタの側面図．５Ｂ従来フィルタの斜視図）に示すように特表２０００−５１３５３８号においては、貫通窓部（５５）を設けたシールドケース（５）を上面の極めて狭い電極パターンにハンダ付けを行っているので、ハンダ漏れなどによる配線ショートや、ハンダがシールドケースと上面パターンとの間に入る為、高さ方向の寸法（Ｗ）管理が極めて困難であり、個々のフィルタ特性のばらつきが大きく、検査工程における後加工にも時間がかかった。
【００１０】
【特許文献１】
特開昭６３−３０６７０１
【００１１】
【特許文献２】
特許第３２０５３７号
【００１２】
【特許文献３】
特開昭６２−７３８０１号、
【００１３】
【特許文献４】
ＵＳＰ５，２１８，３２９
【００１４】
【特許文献５】
特表２０００−５１５３３６号公報
【００１５】
【発明が解決しようとする課題】
上述された誘電体フィルタの製造直後のフィルタ特性のばらつきを少なくし、かつ、検査工程が容易に行える誘電体フィルタを提供することを目的としたものである。
【００１６】
【課題を解決するための手段】
上記課題を解決するために本発明は、上面、下面、及び側面、並びに上面から下面に貫通する復数の中空孔を備えた略直方体状の誘電体ブロックを基体とし、該基体の上面における中空孔開口部近傍と、上面に対向する下面と、中空孔の軸に平行な側面と、中空孔の内周面とがそれぞれ導体層で覆われ、上面を導電性カバーが覆う誘電体フィルタにおいて、
前記誘電体ブロックは、側面に導体層と分離して上面まで連なる第１電極端子、第２電極端子、及び第３電極端子を備え、第１電極端子と第２電極端子との間、及び第１電極端子と第３電極端子との間の側面に段部を設け、
前記導電性カバーは、貫通窓を有する導電板の四辺を折り曲げて前記誘電体フィルタの上面の導体層と接触することなく上面を覆い、導電板の長辺方向の一方の折曲部に切起部を設け導電性カバーの内面側に折り曲げ、かつ、導電板の短辺方向の折曲部に突起を設け、
導電板の切起部を有する折曲部が誘電体ブロックの段部に嵌合し、かつ、他方の折曲部は誘電体ブロックの側面に当接することで誘電体ブロックを挟持し、さらに、導電板の短辺方向の折曲部の突起が誘電体ブロック上面の外周短辺の導体層のない部分と当接することで誘電体ブロックと一定の高さで導電性カバーを支持することを特徴とする。
【００１７】
【発明の実施の形態】
以下、本発明の実施例を図１〜図３を参照して説明する。（なお、同一部分に従来例と同じ番号を付す。）
図１は、本発明の誘電体フィルタの斜視図である。図２は、図１の導電性カバーが誘電体ブロックと嵌合する部分の概略断面図である。図３は、本発明の他の実施例を示すものである。図３Ａは導電性カバー平面図、図３Ｂは導電性カバー正面図、図３Ｃは要部断面図、図３Ｄは誘電体ブロックと嵌合する断面図である。
【００１８】
セラミック材料等の誘電体ブロック（１０）に中空孔が形成される。誘電体ブロックの外周側面（２０）は、導体層である。第１電極と第２電極間に４つの中空孔と第１電極と第３電極との間に３つの中空孔を設けており、各中空孔の周りには電極が設置されている。中空孔の数は所定の通過帯域特性を設定する為であり、基本的な構造、効果は従来例と同様であるので重複説明は割愛する。
【００１９】
第１電極、第２電極、第３電極は、側面に導体層より分離して上面までつながっている。第１電極と第２電極との間及び第１電極と第３電極との間に、側面及び上面にわたる段部（２１）を設ける。第１電極はアンテナ（図示せず）に接続され、第２電極は受信用装置に接続される。第３電極は（３２）は送信装置に接続される。
【００２０】
一方、導電性カバー（５）は、１枚の導電体の板を適宜、貫通窓（９０、９１、９２、９３、９４）を開けたのち、四辺を折り曲げた後で誘電体ブロックにはめ込むものである。貫通窓部（５５）は導電性カバー（５）を誘電体フィルタ（１）に嵌合したのち、検査工程において上面の導体を修正加工するためのものである。
【００２１】
折曲部の短辺（６）には突起（６１）を設け、誘電体ブロックの上面外周の短辺方向の導体がない部分（１１）と合致する。導体がない部分（１１）と合致させるだけで、半田付けを行わないので、誘電体フィルタと導電性カバーとの間にハンダ入り込まず、高さ方向の寸法が一義的に決定でき、上面の導電体とハンダ付けする場合に比べて、一個毎の特性変化も少なく、寸法管理も精度があがり生産効率がよくなる。
【００２２】
導電体カバー（５）の長辺方向の折曲部（７）は、先端が櫛歯状（７１、７２）となっており、その一部がさらに折り曲げ面の内面方向に傾斜している。また、一方の折曲部は（８）は段部（２１）のない側面に当接する。この櫛歯形状の切起部（７２）があることにより、導電体カバーは（５）は誘電体ブロックを対面方向の折曲部（８）とともに誘電体ブロックに対してバネ性を有し挟みつけることができる。このため、誘電体フィルタと導電性カバーに多少誤差があったとしても嵌合させることができ、組立時において固定が容易にできる。段部（２１）にハンダを流し込むことで、折曲部（７１）、切起部（７２）の隙間にハンダが流れ込み、導電性カバーを持ち上げることなくハンダ付けの影響による組立誤差をきわめて小さく抑えることができ、十分な接着力もある。
【００２３】
図３は、本発明の第２の実施例で、導電性カバー形状を示すものである。導電性カバーの導電板の長辺方向の折曲部（７）にコ字状の打抜き（５６）を施し、切起部（７２）が誘電体ブロックの下面から上面に向かって切り起こしたものである。このような形態にすることにより、導電性カバーを誘電体フィルタに装着する時に切起部（７２）による引っ掛かりもなく、スムースに装着でき生産効率がよい。
【００２４】
【発明の効果】
本発明によれば、導電性カバーと誘電体ブロックの製造公差を大きく設定することができ、誘電体フィルタの製造工程において容易に組み立てることができ、検査工程における微調整も容易である。また、導電性カバーと誘電体フィルタのハンダつけによる導電性カバーのずれ、盛り上がりなどもなく組立誤差も小さい。
【図面の簡単な説明】
【図１】本発明の誘電体フィルタの斜視図である。
【図２】図１の誘電体フィルタと導電体カバーの嵌合説明図である。
【図３】本発明の導電性カバーの他の実施例である。
【図４】従来の誘電体フィルタである。
【図５】従来のシールドケース付誘電体フィルタである。
【図６】従来のシールドケース付誘電体フィルタである。
【符号の説明】
１．誘電体フィルタ
５．導電性カバー
７．折曲部
１０．誘電体ブロック
１５．基板
２０．導体層
３０．第１電極
３１．第２電極
３２．第３電極
３３〜３７．中空孔開口部近傍
３８〜３９．導体
４０〜５０．中空孔
５０〜５４．中空孔開口部近傍
６１．凸部
７１．折曲部
７２．切起部
９０〜９４．窓部
【図１】
2004312490.tif 000003
【図２】
2004312490.tif 000004
【図３】
2004312490.tif 000005
【図４】
2004312490.tif 000006
【図５】
2004312490.tif 000007
【図６】
2004312490.tif 000008